(57)【要約】【課題】機構を簡素化するとともに胴の剛性を低下させることなく、ブランケット又は刷版をより確実に固定できる固定装置を提供すること。【解決手段】輪転機において胴２０に巻き付けたブランケット１０又は刷版を固定するブランケット又は刷版の固定装置であって、胴２０に形成され、ブランケット又は刷版のくわえ側１１ａが引っ掛けられるとともに、くわえ尻側１１ｂが挿入される拘束溝２１と、拘束溝２１の胴軸方向全長にわたり、かつ長手方向の少なくとも一端が拘束溝２１の長手方向の端部から突出するように挿入される板バネ３０と、拘束溝２１の長手方向の端部から突出した板バネ３０の少なくとも一端を長手方向に押圧し、板バネ３０を長手方向と直交する方向に撓ませる押圧部材４０とを備える。【選択図】図１
0003153602.tif 000002
【実用新案登録請求の範囲】
【請求項１】
輪転機において胴に巻き付けたブランケット又は刷版を固定するブランケット又は刷版の固定装置であって、
前記胴に形成され、ブランケット又は刷版のくわえ側が引っ掛けられるとともに、くわえ尻側が挿入される拘束溝と、
前記拘束溝の胴軸方向全長にわたり、かつ長手方向の少なくとも一端が前記拘束溝の長手方向の端部から突出するように挿入される板バネと、
前記拘束溝の長手方向の端部から突出した板バネの少なくとも一端を長手方向中央部に向けて押圧し、前記板バネを長手方向と直交する方向に撓ませる押圧部材とを備えたブランケット又は刷版の固定装置。
【請求項２】
板バネが、長手方向に沿って波打つ波形形状を有する請求項１に記載のブランケット又は刷版の固定装置。
【請求項３】
押圧部材が、板バネを嵌め込む嵌合溝を有する請求項１又は２に記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実にするための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。
【０００４】
しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【先行技術文献】
【特許文献】
【０００５】
【特許文献１】特開２００２−３２６３４１号公報
【考案の概要】
【考案が解決しようとする課題】
【０００６】
本考案が解決しようとする課題は、機構を簡素化するとともに胴の剛性を低下させることなく、ブランケット又は刷版をより確実に固定できる固定装置を提供することにある。
【課題を解決するための手段】
【０００７】
本考案の固定装置は、輪転機において胴に巻き付けたブランケット又は刷版を固定するブランケット又は刷版の固定装置であって、前記胴に形成され、ブランケット又は刷版のくわえ側が引っ掛けられるとともに、くわえ尻側が挿入される拘束溝と、前記拘束溝の胴軸方向全長にわたり、かつ長手方向の少なくとも一端が前記拘束溝の長手方向の端部から突出するように挿入される板バネと、前記拘束溝の長手方向の端部から突出した板バネの少なくとも一端を長手方向中央部に向けて押圧し、前記板バネを長手方向と直交する方向に撓ませる押圧部材とを備えたものである。
【０００８】
なお、本考案において、「胴」とはブランケット胴及び版胴を総称するものである。
【考案の効果】
【０００９】
本考案によれば、押圧部材によって板バネを長手方向と直交する方向に撓ませることで、この板バネによって、ブランケット又は刷版のくわえ側及びくわえ尻側が強固に拘束されるので、機構を簡素化するとともに胴の剛性を低下させることなく、ブランケット又は刷版をより確実に固定できる。
【図面の簡単な説明】
【００１０】
【図１】本考案の実施例を示す側面図である。
【図２】図１の実施例において押圧部材を外した状態を示す斜視図である。
【図３】図１の実施例において拘束溝と板バネの長さの関係を示す説明図である。
【図４】図１の実施例において使用する押圧部材を示す斜視図である。
【図５】本考案において使用する板バネの形状例を示す斜視図である。
【考案を実施するための形態】
【００１１】
以下、図面に示す実施例に基づき本考案の実施の形態を説明する。
【００１２】
図１は、本考案の実施例を示す側面図である。この実施例の固定装置はブランケット１０をブランケット胴２０に固定するものである。このブランケット胴２０には、２頁幅のブランケット１０が１枚だけ巻き付けられる。
【００１３】
ブランケット１０は、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１４】
拘束溝２１内には、くわえ側１１ａとくわえ尻側１１ｂとの間で、その胴軸方向全長にわたって板バネ３０が挿入されている。また、板バネ３０は、図２及び図３に示すように、その長手方向の両端が拘束溝２１の端部から長さａだけ突出するように拘束溝２１内に挿入されている。
【００１５】
図１に戻って、板バネ３０の端部が拘束溝２１の端部から突出した部分には、突出した板バネ３０の端部を長手方向中央部に向けて押圧する押圧部材４０が装着されている。押圧部材４０には、図４に示すように、板バネ３０の端部を嵌め込む嵌合溝４１が形成されている。この嵌合溝４１は、その長さｂが上述した板バネ３０の突出長さａより短くなるように形成されているが、巾及び高さについては余裕をもたせて大きくしている。そして、図１に示すように、嵌合溝４１に板バネ３０の端部を嵌め込んだ状態で、押圧部材４０を固定部材（ボルト）４２によってブランケット胴２０の両端部にそれぞれ固定する。そうすると、上述のとおり長さａ＞長さｂの関係にあるから、両端部の押圧部材４０によって、板バネ３０が長手方向に押圧される。
【００１６】
嵌合溝４１の上部（ブランケット胴２０の半径方向外方側）は、本実施例のように閉じておくことが好ましい。これによって、板バネ３０の抜けを防止できる。なお、嵌合溝４１の下部（ブランケット胴２０の半径方向内方側）は、本実施例のように閉じていてもよいが、開放していても問題はない。
【００１７】
板バネ３０は、単純には図５（ａ）に示すように平板形状とすることができる。このような平板形状の板バネ３０の両端部を上述した押圧部材４０で長手方向に押圧すると、板バネ３０は、図５（ａ）に破線で誇張して示すように長手方向と直交する方向に撓む。その結果、板バネ３０の長手方向中央部が突出するようになり、この板バネ３０の長手方向中央部と両端部の３箇所が、ブランケット１１のくわえ側１１ａあるいはくわえ尻側１１ｂに突き当たり、ブランケット１０が確実に固定される。
【００１８】
板バネ３０は、図５（ｂ）に示すように長手方向に波打つ波形形状とすることもできる。この波形形状の板バネ３０を使用して、その両端部を押圧部材４０で長手方向に押圧すれば、板バネ３０が長手方向と直交する方向に撓むことにより、波形の各頂点３１と両端部がブランケット１０のくわえ側１１ａあるいはくわえ尻側１１ｂに突き当たり、平板形状の板バネ３０を使用した場合よりもくわえ側１１ａあるいはくわえ尻側１１ｂに突き当たる点の数が増えるので、ブランケット１０がより確実に固定される。
【００１９】
以上の実施例では、板バネ３０の両端部を拘束溝２１の端部から突出させて、その両端部に押圧部材４０を装着したが、板バネ３０の一方の端部は拘束溝２１の端部に固定し、板バネ３０の一方の端部のみを拘束溝２１の端部から突出させ、その突出した端部側にのみ押圧部材４０を装着するようにしてもよい。
【００２０】
また、以上の実施例では、２頁幅のブランケットをブランケット胴に１枚だけ巻き付ける例を示したが、本考案は、２頁幅のブランケットをブランケット胴の軸方向に沿って２枚巻き付ける場合にも適用可能である。この場合、各々の拘束溝は１８０°位相をずらして形成されていることから、２枚のブランケットのブランケット胴の端部側に位置する端部をそれぞれ突出させて押圧部材を装着し、ブランケット胴の中央側に位置する端部はその中央側に固定する。
【００２１】
さらに、以上の実施例では、ブランケットを固定する場合について説明したが、刷版も同様に固定できることは自明である。
【符号の説明】
【００２２】
１０  ブランケット
１１  金属板
１１ａ  くわえ側
１１ｂ  くわえ尻側
１２  ブランケットシート
２０  ブランケット胴
２１  拘束溝
３０  板バネ
３１  頂点
４０  押圧部材
４１  嵌合溝
４２  固定部材（ボルト）
【図１】
0003153602.tif 000003
【図２】
0003153602.tif 000004
【図３】
0003153602.tif 000005
【図４】
0003153602.tif 000006
【図５】
0003153602.tif 000007